(57)【要約】【課題】注射針の注射器への取付信頼性を高めること。【解決手段】  針基２０１端部のフランジ２１１によりシリンジ３００に螺合させる注射針２００と、針基２０１まで差し込んで注射針２００と一体化する筒状の注射針用のカバー１００との係合構造であって、針基２０１外周とカバー１００内周とに、軸方向に伸び回転対称に同数配置された突条であって回動により互いに干渉しあう突条（針基リブ２４０と縦リブ１１０）をそれぞれ設け、差込口１０１に向かってカバー１００を右回りさせたとき、回転方向前方からせり上がり縦リブ１１０に至る斜面１１１をカバー１００内周に形成したことを特徴とする、注射針２００とカバー１００の耐破損性係合構造１。【選択図】図３
2015150241.tif 000002
【特許請求の範囲】
【請求項１】
針基端部のフランジによりシリンジに螺合させる注射針と、針基まで差し込んで注射針と一体化する筒状の注射針用のカバーとの係合構造であって、
針基外周とカバー内周とに、軸方向に伸び回転対称に同数または一方の数の倍数分もしくは約数分配置された突条であって回動により互いに干渉しあう突条をそれぞれ設け、
差し込み口に向かってカバーを右回りさせるときの回転方向前方からせり上がりカバーの突条に至る斜面をカバー内周に形成した、および／または、針に向かって針基を右回りさせるときの回転方向前方からせり上がり針基の突条に至る斜面を針基外周に形成したことを特徴とする、注射針とカバーの耐破損性係合構造。
【請求項２】
針基端部のフランジによりシリンジに螺合させる注射針と、針基まで差し込んで注射針と一体化する筒状の注射針用のカバーとの係合構造であって、
針基外周とカバー内周とに、軸方向に伸び回転対称に同数または一方の数の倍数分もしくは約数分配置された突条であって回動により互いに干渉しあう突条をそれぞれ設け、
差し込み口に向かってカバーを右回りさせるときの回転方向前方側が後方側より低い斜面としてカバーの突条の上面を形成した、および／または、針に向かって針基を右回りさせるときの回転方向前方側が後方側より低い斜面として針基の突条の上面を形成したことを特徴とする、注射針とカバーの耐破損性係合構造。
【請求項３】
針基の突条は、針方向に向けて階段状に高さが低くなる形状または針方向に向けて高さが連続的に低くなる形状としたことを特徴とする請求項１または２に記載の耐破損性係合構造。
【請求項４】
針先端に向けて縮径した多段円筒基調であり、径の小さな円筒外周には軸方向に伸び回転対称に配置された針基突条が、基端にはシリンジに螺合させるフランジが、それぞれ形成された針基を有する注射針に使用し、針基まで差し込んで注射針と一体化する筒状の注射針用のカバーであって、
軸方向に伸び回転対称に針基突条と同数または当該数の倍数分もしくは約数分配置し、回動により針基突条と干渉しあうカバー突条と、
差し込み口に向かってカバーを右回りさせるときの回転方向前方からせり上がりカバー突条に至る斜面と、
を内周に形成し、
注射針をカバーを介してシリンジに螺合させて取り付ける際には所定トルク以上で針基突条がカバー突条を乗り越えることができ、はずす際には針基突条とカバー突条とは係合を維持することを特徴とする針基耐破損性カバー。
【請求項５】
針先端に向けて縮径した多段円筒基調であり、径の小さな円筒外周には軸方向に伸び回転対称に配置された針基突条が、基端にはシリンジに螺合させるフランジが、それぞれ形成された針基を有する注射針に使用し、針基まで差し込んで注射針と一体化する筒状の注射針用のカバーであって、
軸方向に伸び回転対称に針基突条と同数または当該数の倍数分もしくは約数分配置し、回動により針基突条と干渉しあうカバー突条を内周に有し、
カバー突条上面を、差し込み口に向かってカバーを右回りさせるときの回転方向前方側が後方側より低い斜面として形成し、
注射針をカバーを介してシリンジに螺合させて取り付ける際には所定トルク以上で針基突条がカバー突条を乗り越えることができ、はずす際には針基突条とカバー突条とは係合を維持することを特徴とする針基耐破損性カバー。
【発明の詳細な説明】
【技術分野】
【０００１】
本発明は、シリンジに注射針を螺合する際、針基の破損を抑制する耐破損性係合構造および針基耐破損性カバーに関し、特に、針基とカバーとの係合力を非対称とした耐破損性係合構造および針基耐破損性カバーに関する。
【背景技術】
【０００２】
従来、交換式注射器においては、注射針はカバーに差し込まれ、カバーを介して注射針の針基を注射器先端に螺合させていた。また、注射針をはずすときは、カバーを針基まで差し込み、反対に回転させていた。
【０００３】
この注射針とカバーとの一体性、特に、回転方向に対する一体性は、針基外周とカバー内周とに軸方向に延伸したリブをそれぞれ設け、これが干渉しあうことにより確保していた。
【０００４】
また、このような注射器のフィッティングに関しては、ＩＳＯ５９４−２に規定されており、その中で針基にはフランジを設けるように決められている。取付けに際しては、このフランジが螺合溝に嵌合および螺合し、注射器と注射針との良好なフィッティングが形成される。
【０００５】
しかしながら、従来の技術では以下の問題点があった。
従来は、注射針の取付けの際、力がかかりすぎてフランジがなめてしまうなど、針基を破損してしまう可能性があった。
【先行技術文献】
【特許文献】
【０００６】
【特許文献１】特開２００５−１９９０５９号公報
【特許文献２】実開昭５５−１０９５３２号公報
【特許文献３】特開２０１２−２０５６３６号公報
【特許文献４】特開２０１０−１８４１１２号公報
【発明の概要】
【発明が解決しようとする課題】
【０００７】
本発明は上記に鑑みてなされたものであって、注射針の注射器への取付信頼性を高める構造およびカバーを提供することを目的とする。
【課題を解決するための手段】
【０００８】
請求項１に記載の注射針とカバーの耐破損性係合構造は、針基端部のフランジによりシリンジに螺合させる注射針と、針基まで差し込んで注射針と一体化する筒状の注射針用のカバーとの係合構造であって、針基外周とカバー内周とに、軸方向に伸び回転対称に同数または一方の数の倍数分もしくは約数分配置された突条であって回動により互いに干渉しあう突条をそれぞれ設け、差し込み口に向かってカバーを右回りさせるときの回転方向前方からせり上がりカバーの突条に至る斜面をカバー内周に形成した、および／または、針に向かって針基を右回りさせるときの回転方向前方からせり上がり針基の突条に至る斜面を針基外周に形成したことを特徴とする。
【０００９】
すなわち、請求項１に係る発明は、しめ方向への回転（右回転）についての針基とカバーとの係合力および衝撃力を、ゆるめ方向の回転（左回転）より小さくし、これにより、注射針の注射器への取付信頼性を高めている。
【００１０】
なお、斜面は平面でも曲面でもよいものとする。また、斜面は、突条の上面高さまで形成してもよく、また、それより低い高さまでで突条側面に連接ないし接合する態様であってもよい。突条の周方向前方に斜面が設けられているので、この部分は、略くさび状の係合体、または、略くさび状の係止体と表現することもできる。
【００１１】
ここでいう軸方向とは、カバーの中心軸または針の延伸方向と同一方向、すなわち、平行であることに限定されず、軸とねじれの位置関係にない（同一平面上にある）という意義も含まれるものとする。針基外周やカバー内周に若干のテーパがつけられ、突条が外周や内周に沿って設けられる場合もあるからである。
【００１２】
また、回転対称に同数または一方の数の倍数分もしくは約数分配置された突条、とは、（１）カバーの突条と針基の突条の数が同数である場合、（２）例えば、カバーの突条を基準とし、これが３本ある場合、針基の突条が３の倍数、すなわち、６本、９本、・・・、である場合、（３）例えば、カバーの突条を基準とし、これが６本ある場合、針基の突条が６の約数、すなわち、３本、２本である場合をいう。なおここでは約数はそれ自身と１は含まないとする。この関係とすることにより、回転対称にて同時に突条が係合しあうこととなる。
【００１３】
請求項２に記載の注射針とカバーの耐破損性係合構造は、針基端部のフランジによりシリンジに螺合させる注射針と、針基まで差し込んで注射針と一体化する筒状の注射針用のカバーとの係合構造であって、針基外周とカバー内周とに、軸方向に伸び回転対称に同数または一方の数の倍数分もしくは約数分配置された突条であって回動により互いに干渉しあう突条をそれぞれ設け、差し込み口に向かってカバーを右回りさせるときの回転方向前方側が後方側より低い斜面としてカバーの突条の上面を形成した、および／または、針に向かって針基を右回りさせるときの回転方向前方側が後方側より低い斜面として針基の突条の上面を形成したことを特徴とする。
【００１４】
すなわち、請求項２に係る発明は、しめ方向への回転（右回転）についての針基とカバーとの係合力および衝撃力を、ゆるめ方向の回転（左回転）より小さくし、これにより、注射針の注射器への取付信頼性を高めている。
【００１５】
なお、斜面は平面でも曲面でもよいものとする。また、突条の前方側面が総て切り取られ斜面が針基外周からまたはカバー内周から直接形成されている態様でもよい（断面が直角三角形となる）。さらには突条の側面は、軸中心からの径方向を向いている必要はなく、いわば、しめ方向に対して後側に寝た係合体ないし係止体として突条を設けてもよい。
【００１６】
請求項３に記載の耐破損性係合構造は、請求項１または２に記載の耐破損性係合構造において、針基の突条は、針方向に向けて階段状に高さが低くなる形状または針方向に向けて高さが連続的に低くなる形状としたことを特徴とする。
【００１７】
すなわち、請求項３に係る発明は、カバーと注射針との一体性が悪いときには、弱い力でカバーの注射針に対する回動（突条越え）がおこり、使用者に感覚的に良好な締め付け力を体得させることができる。
【００１８】
なお、階段とする場合は、高い段と低い段の２段構成とすれば十分であり、このとき高い段の長さは、カバーの突条または斜面の軸方向の長さとするのが好ましい。連続的に低くなるとは針基の突条がカバーの突条との干渉が解消される角度がついていることをいう。なお、階段状とする場合の直線部分（階段のフラットな部分）は、軸と平行でなくてもよく、針基にテーパがついているときには同様の傾きを有するものであってもよい。
【００１９】
請求項４に記載の針基耐破損性カバーは、針先端に向けて縮径した多段円筒基調であり、径の小さな円筒外周には軸方向に伸び回転対称に配置された針基突条が、基端にはシリンジに螺合させるフランジが、それぞれ形成された針基を有する注射針に使用し、針基まで差し込んで注射針と一体化する筒状の注射針用のカバーであって、軸方向に伸び回転対称に針基突条と同数または当該数の倍数分もしくは約数分配置し、回動により針基突条と干渉しあうカバー突条と、差し込み口に向かってカバーを右回りさせるときの回転方向前方からせり上がりカバー突条に至る斜面と、を内周に形成し、注射針をカバーを介してシリンジに螺合させて取り付ける際には所定トルク以上で針基突条がカバー突条を乗り越えることができ、はずす際には針基突条とカバー突条とは係合を維持することを特徴とする。
【００２０】
すなわち、請求項４に係る発明は、しめ方向への回転（右回転）についての針基とカバーとの係合力および衝撃力を、ゆるめ方向の回転（左回転）より小さくし、これにより、注射針の注射器への取付信頼性を高めている。
【００２１】
径の小さな、とは、最も大きな径に比べて小さいことを意味する。なお、倍数、約数については、前述の通りである。
【００２２】
請求項５に記載の針基耐破損性カバーは、針先端に向けて縮径した多段円筒基調であり、径の小さな円筒外周には軸方向に伸び回転対称に配置された針基突条が、基端にはシリンジに螺合させるフランジが、それぞれ形成された針基を有する注射針に使用し、針基まで差し込んで注射針と一体化する筒状の注射針用のカバーであって、軸方向に伸び回転対称に針基突条と同数または当該数の倍数分もしくは約数分配置し、回動により針基突条と干渉しあうカバー突条を内周に有し、カバー突条上面を、差し込み口に向かってカバーを右回りさせるときの回転方向前方側が後方側より低い斜面として形成し、注射針をカバーを介してシリンジに螺合させて取り付ける際には所定トルク以上で針基突条がカバー突条を乗り越えることができ、はずす際には針基突条とカバー突条とは係合を維持することを特徴とする。
【００２３】
すなわち、請求項５に係る発明は、しめ方向への回転（右回転）についての針基とカバーとの係合力および衝撃力を、ゆるめ方向の回転（左回転）より小さくし、これにより、注射針の注射器への取付信頼性を高めている。
【発明の効果】
【００２４】
本発明によれば、注射針の注射器への取付信頼性を高める構造およびカバーを提供することができる（請求項１，２，４，５）。また、使用者に感覚的に良好な締め付け力を体得させることが可能な耐破損性係合構造を提供できる（請求項３）。
【図面の簡単な説明】
【００２５】
【図１】シリンジ先端と、本発明の耐破損性係合構造を形成する注射針とカバーとを示した断面図である。
【図２】図１に示した耐破損性係合構造を形成する本発明の針基耐破損性カバーの差込口部分（ａ）、その部分拡大図（ｂ）、および、針基（ｃ）を示した斜視説明図である。
【図３】図１においてカバーを注射針に装着した際のＡ−Ａ部分の断面であって締め付け時の係合の様子を示した斜視図（ａ）、その拡大図（ｂ）、および、ゆるめ時の係合の様子を示した斜視図（ｃ）である。
【図４】本発明の耐破損性係合構造または耐破損性カバーの係合の各種態様を概念的に示したＡ−Ａ断面図である。
【発明を実施するための形態】
【００２６】
以下、本発明の実施の形態を図面を参照しながら詳細に説明する。ここでは、主としてカバーに注射針の針基の耐破損性が付与された構成について説明する。図１は、シリンジ先端と、本発明の耐破損性係合構造を形成する注射針とカバーとを示した断面図である。図２は、図１に示した耐破損性係合構造を形成する本発明の針基耐破損性カバーの差込口部分と針基についての斜視説明図である。図３は、図１においてカバーを注射針に装着した際のＡ−Ａ部分の断面であって締め付け時およびゆるめ時の係合の様子を示した斜視図である。なお、各図において、説明の便宜上各構成部は縮尺を適宜異ならせて描画している。
【００２７】
耐破損性係合構造１は、カバー１００と注射針２００とにより形成される。注射針２００は、カバー１００に略収容された状態で一体となり、シリンジ３００の先端に螺合して取り付けられる。また、取り外しの時も、カバー１００を注射針２００に差し込み一体化させた後に左回しして用いられる。これにより清潔性および作業の安全性が高まる。
【００２８】
この注射針２００とシリンジ３００とは、ＩＳＯ５９４−２（注射器、注射針および他の医療機器用の６％（Ｌｕｅｒ）テーパ付き円錐フィッティング−第２部：固定フィッティング）に従った形状を有し螺合する。すなわち、次に説明するように、シリンジ３００先端にはオス構造を有すると共に所定の螺合溝が形成され、注射針２００の針基内側にはオス構造に嵌合するメス構造を有すると共に基端外側には螺合溝に螺合するフランジが形成されている。注射針２００は、嵌合かつ螺合により、簡便かつ十全にシリンジ３００に密着し取り付けられる。
【００２９】
まず、シリンジ３００について説明する。
シリンジ３００は、前述したように、先端（針側）にＩＳＯ５９４−２に規定される凸フィッティング部３０１が設けられている。凸フィッティング部３０１は、同軸二重管構造であり、内筒３１０と外筒３２０とを有する。内筒３１０は中心に液体導通路３１１が形成され、内筒外周面３１２は６／１００の緩やかなテーパがつけられ針基２０１と嵌合する。
【００３０】
外筒３２０の内壁には雌ねじである螺合溝３２１が設けられている。この螺合溝３２１にフランジ２１１が螺合する。
【００３１】
次に、注射針２００について説明する。
注射針２００は、凸フィッティング部３０１と嵌合かつ螺合する針基２０１と、針２０２とにより構成される。針基２０１は、針２０２側に向けて径が小さくなる三段同軸円筒形となっている。ここでは、基端（凸フィッティング部３０１に差し込む側）から、第一円筒２１０、第二円筒２２０、第三円筒２３０と称することとする。
【００３２】
第一円筒２１０はＩＳＯ５９４−２に規定される形状に従う。すなわち、第一円筒２１０は、基端に二つのフランジ２１１を有し、このフランジ２１１は、凸フィッティング部３０１に向かって右回しで螺合溝３２１に進入し螺合する。また、第一円筒２１０の内周面２１２は６／１００の緩やかなテーパがつけられ凸フィッティング部３０１と嵌合する。また、第一円筒２１０の外周面２１３にも同様のテーパがつけられており、カバー１００が良好に嵌合するようにしている。
【００３３】
第二円筒２２０と第一円筒２１０との間に形成される段差２２１は、カバー１００の縦リブ１１０が突き当たり過進入を防ぐのに利用される。
第三円筒２３０は中心孔２３１に針２０２を挿入し、これを接着包持する。
【００３４】
針基２０１は、また、第二円筒２２０から第三円筒２３０にわたる、軸方向（針２０２側）に延伸する針基リブ２４０を備える。この針基リブ２４０は、９０°回転対称に針基２０１側周に４つ設けられている。
【００３５】
針基リブ２４０は、第二円筒２２０の外周より高く、第一円筒２１０の針側の端面（段差２２１が形成される部分）以下の高さを有し、軸に平行に延伸する第一段２４１と、第一段２４１より若干低くなり軸に平行に延伸する第二段２４２とが連接した段構造（多段リブ構造）を有する（なお、第一段２４１の長さを便宜上ｌ１とする）。この針基リブ２４０、特に第一段２４１は、後述するようにカバー１００の縦リブ１１０と回転方向に干渉しあう。
【００３６】
次に、カバー１００について説明する。
カバー１００は、針２０２を収容する長さを有する有底筒であり、開口した差込口１０１から針２０２を差し入れ、針基２０１まで差し込み注射針２００と一体化する。詳細には、カバー１００内周面１０２には針基２０１の第一円筒２１０の外周面２１３と同一のテーパがつけられており、第一円筒２１０を所定深さまで差し込んだときにカバー１００と針基２０１とが嵌合（面接触）するようにしている（なお、差込口１０１からのこの差し込み深さを便宜上ｌ２とする）。
【００３７】
また、カバー１００は、内周面１０２に、筒の奥に向けて延伸する縦リブ１１０を備える。この縦リブ１１０は、針基リブ２４０と同様に、９０°回転対称に４つ設けられている。縦リブ１１０の立ち上がり位置は、差込口１０１からｌ２の距離としている。これにより、縦リブ１１０先端が針基２０１の段差２２１に突き当たり、カバー１００の針基２０１への過進入を防止する。従って、カバー１００は注射針２００と好適な密着力により嵌合し、かつ、カバー１００の注射針２００からの引き抜き力も過大とならずに済む。
【００３８】
縦リブ１１０は、上述の立ち上がり位置から少なくともｌ１の長さまでは軸と平行としており、また、この部分を連接辺として、螺合方向前側、すなわち、差込口１０１に向かってカバー１００を右回りさせるときの回転方向前側に斜面１１１を設けている。詳細には、斜面１１１は、内周面１０２から円滑に立ち上がる凹曲面であって、縦リブ１１０の螺合方向前側の側面に連接している。なお、カバー１００の内周面１０２は、筒の奥に向けてわずかに先細りとなっているので、図２（ａ）に示したように斜面１１１は、略三角形の形状となる。
【００３９】
このように、縦リブ１１０は、片側のみ斜面１１１を設け、いわば、左右非対称に形成しているので、図３（ａ）または（ｂ）に示したように、螺合方向（しめ方向：右回り）には縦リブ１１０が針基リブ２４０に圧着係合し、所定のトルク以上では乗り越え（空回り）も可能とし、また、逆方向（ゆるめ方向：左回り）では、従来と同様に強固に係合する。なお、本願においては、各図において適宜リブと斜面とに境界があるように線を描画しているが概念状のものである。
【００４０】
耐破損性係合構造１はこのような構成であるので、カバー１００を介して注射針２００をシリンジ３００に螺合させる際、締め付けの力が所定以上であれば空回りを生じさせ、フランジ２１１をつぶしたり、その他針基２０１が破損してしまうことを生じにくくしている。反対に、斜面１１１や縦リブ１１０や針基リブ２４０は、注射針２００のシリンジ３００への好適なフィッティング以上破損未満となるように設計する。
【００４１】
なお、斜面１１１は、次第にせり上がる面としているので、従来のようにリブ同士がいきなりぶつかり合うような衝撃力が生じにくく、この点からも耐破損性を向上させている。
【００４２】
また、針基リブ２４０の第一段２４１部分は針基リブ２４０と干渉し、連接する第二段２４２は若干リブ高さを低くしている。この形状により、カバー１００の注射針２００への差し込み深さが十分でない場合、すぐに縦リブ１１０が針基リブ２４０を乗り越えるので、差し込み深さが適切である場合に比して螺合の際のカバー１００をつまみ回す感触が異なる。従って、この感触の差違から、良好な締め付け感覚を使用者に自然と体得させることも可能となる。
【００４３】
カバー１００も、針基２０１も、素材は特に限定されないが、たとえば、ポリプロピレンとして射出成形により製造することができる。便宜上斜面１１１と縦リブ１１０を別々に説明したが、一体的に成形されるので、斜面を含めてリブと見なしてもよい。
【００４４】
なお、従来品と本発明品とを用いて、締め付け速度の早い場合（衝撃力が大きな場合）と締め付け速度の遅い場合とで、空回りが発生したときのトルクを測定した。トルクは約１０％〜２０％程度低減し、また、針基の破損頻度も低減することを確認した。
【００４５】
本発明は、上記の実施の形態に限定されない。図４は、本発明の耐破損性係合構造または耐破損性カバーの係合の各種態様を概念的に示したＡ−Ａ断面図である。図４（ａ）に示したように、斜面１１１を、縦リブ１１０の上面１１２より若干低い位置で連接するようにしてもよい。この場合、縦リブ１１０が針基リブ２４０を乗り越えるにはそれまでと異なり断続した一層の抵抗が生じる。このような断続性を持たせることによって、良好な締め付け感覚を使用者に自然と体得させることが可能となる。
【００４６】
また、以上の例は、カバー１００側に耐破損性構造（斜面１１１）を持たせているが、図４（ｂ）に示したように、注射針２００側に耐破損性構造を持たせるようにしてもよい。すなわち、針基リブ２４０の螺合方向前側、すなわち、差込口１０１に向かってカバー１００を右回りさせるときの回転方向前方に斜面２４３を設けるようにしてもよい。
【００４７】
また、図３（ｂ）、図４（ａ）、図４（ｂ）の例では、縦リブ１１０や針基リブ２４０にスロープを連接させ、いわばトルク逃がし面を付設した構成としているが、リブの上面自体を傾け耐破損性を向上するようにしてもよい。図４（ｃ）は縦リブ１１０の上面を、図４（ｄ）は針基リブ２４０の上面をそれぞれ傾斜させている。この上面傾斜により、干渉する対向のリブの螺合方向についての乗り越え性が高まる。また、リブが高さ方向に肉薄となることにより構造的なしなりを有するようになり、この点からも乗り越え性、すなわち、耐破損性を発揮することができる。
【産業上の利用可能性】
【００４８】
本発明によれば、注射針の注射器への取付信頼性を高める構造およびカバーを提供することができる。注射針に限らず、ルアロックが形成される構造にて、片側の部材を直接触らず螺合させる際に本春名を利用することができる。
【符号の説明】
【００４９】
１        耐破損性係合構造
１００  カバー
１０１  差込口
１０２  （カバーの）内周面
１１０  縦リブ
１１１  斜面
１１２  上面
２００  注射針
２０１  針基
２０２  針
２１０  第一円筒
２１１  フランジ
２１２  （第一円筒の）内周面
２１３  （第一円筒の）外周面
２２０  第二円筒
２２１  段差
２３０  第三円筒
２３１  中心孔
２４０  針基リブ
２４１  第一段
２４２  第二段
２４３  斜面
３００  シリンジ
３０１  凸フィッティング部
３１０  内筒
３１１  液体導通路
３１２  内筒外周面
３２０  外筒
３２１  螺合溝
ｌ１      第一段２４１の延伸長さ
ｌ２      第一円筒２１０のカバー１００内への差し込み深さ
【図１】
2015150241.tif 000003
【図２】
2015150241.tif 000004
【図３】
2015150241.tif 000005
【図４】
2015150241.tif 000006